(57)【要約】【課題】映像音声コンテンツの娯楽性を向上させ得る記録再生装置及び方法を提案する。【解決手段】第１のメディアから取得した映像音声コンテンツ及び第１のメディアと異なる第２のメディアから取得した音声コンテンツを記録媒体に記録し、映像音声コンテンツを再生する際に、外部操作に応じて、当該映像音声コンテンツの音声に代えて、指定された音声コンテンツを再生するようにした。【選択図】        図１
2004336560.tif 000002
【特許請求の範囲】
【請求項１】
所定の第１のメディアから映像情報及び音声情報を含む映像音声コンテンツを取得する第１のコンテンツ取得手段と、
上記第１のメディアと異なる第２のメディアから音声情報を含む音声コンテンツを取得する第２のコンテンツ取得手段と、
上記第１のコンテンツ取得手段により取得された上記映像音声コンテンツ又は上記第２のコンテンツ取得手段により取得された上記音声コンテンツを所定の記録媒体に記録する記録手段と、
上記記録媒体に記録された上記映像音声コンテンツ又は上記音声コンテンツを再生する再生手段と
を具え、
上記再生手段は、
上記映像音声コンテンツの再生時に、外部操作に応じて、当該映像音声コンテンツの音声に代えて、指定された上記音声コンテンツを再生する
ことを特徴とする記録再生装置。
【請求項２】
上記第２のコンテンツ取得手段は、
上記第１のコンテンツ取得手段による上記映像音声コンテンツの取得と並行して上記音声コンテンツを取得でき、
上記記録手段は、
並行して取得された上記映像音声コンテンツ及び上記音声コンテンツを共に上記記録媒体に記録する
ことを特徴とする請求項１に記載の記録再生装置。
【請求項３】
上記記録手段は、
上記映像音声コンテンツと、当該映像音声コンテンツと関連する上記音声コンテンツとを関連付ける関連情報を当該映像音声コンテンツと共に上記記録媒体に記録し、
上記再生手段は、
上記映像音声コンテンツの再生時、当該映像音声コンテンツの上記関連情報に基づいて、当該映像音声コンテンツと関連付けられた上記音声コンテンツの中から１つの上記音声コンテンツを指定するための画面を生成し、当該画面を用いて外部操作により指定された上記音声コンテンツを、上記映像音声コンテンツの上記音声に代えて再生する
ことを特徴とする請求項１に記載の記録再生装置。
【請求項４】
上記記録手段は、
上記音声コンテンツに関する所定情報を、当該音声コンテンツと共に上記記録媒体に記録し、
上記再生手段は、
上記音声コンテンツを指定するための画面内に、当該所定情報を表示させる
ことを特徴とする請求項３に記載の記録再生装置。
【請求項５】
上記関連情報は、
上記映像音声コンテンツの記録開始時刻と、当該映像音声コンテンツと関連する上記音声コンテンツの記録開始時刻との時間差を表す差分情報を含み、
上記再生手段は、
当該差分情報に基づいて、上記映像音声コンテンツの上記映像に同期させるように上記音声コンテンツを再生する
ことを特徴とする請求項３に記載の記録再生装置。
【請求項６】
所定の第１のメディアから映像情報及び音声情報を含む映像音声コンテンツを取得すると共に、上記第１のメディアと異なる第２のメディアから音声情報を含む音声コンテンツを取得し、取得した上記映像音声コンテンツ及び又は上記音声コンテンツを所定の記録媒体に記録する第１のステップと、
上記記録媒体に記録された上記映像音声コンテンツ又は上記音声コンテンツを再生する第２のステップと
を具え、
上記第２のステップでは、
上記映像音声コンテンツの再生時に、外部操作に応じて、当該映像音声コンテンツの音声に代えて、指定された上記音声コンテンツを再生する
ことを特徴とする記録再生方法。
【請求項７】
上記第１のステップでは、
上記映像音声コンテンツ及び上記音声コンテンツを並行して取得し、当該取得した上記映像音声コンテンツ及び上記音声コンテンツを共に上記記録媒体に記録する
ことを特徴とする請求項６に記載の記録再生方法。
【請求項８】
上記第１のステップでは、
上記映像音声コンテンツと、当該映像音声コンテンツと関連する上記音声コンテンツとを関連付ける関連情報を当該映像音声コンテンツと共に上記記録媒体に記録し、
上記第２のステップでは、
上記映像音声コンテンツの再生時、当該映像音声コンテンツの上記関連情報に基づいて、当該映像音声コンテンツと関連付けられた上記音声コンテンツの中から１つの上記音声コンテンツを指定するための画面を生成し、当該画面を用いて外部操作により指定された上記音声コンテンツを、上記映像音声コンテンツの上記音声に代えて再生する
ことを特徴とする請求項６に記載の記録再生方法。
【請求項９】
上記第１のステップでは、
上記音声コンテンツに関する所定情報を、当該音声コンテンツと共に上記記録媒体に記録し、
上記第２のステップでは、
上記音声コンテンツを指定するための画面内に、当該所定情報を表示させる
ことを特徴とする請求項８に記載の記録再生方法。
【請求項１０】
上記関連情報は、
上記映像音声コンテンツの記録開始時刻と、当該映像音声コンテンツと関連する上記音声コンテンツの記録開始時刻との時間差を表す差分情報を含み、
上記第２のステップでは、
当該差分情報に基づいて、上記映像音声コンテンツの上記映像に同期させるように上記音声コンテンツを再生する
ことを特徴とする請求項８に記載の記録再生方法。
【発明の詳細な説明】
【０００１】
【発明の属する技術分野】
本発明は、記録再生装置及び方法に関し、例えば映像音声コンテンツ及び音声コンテンツを記録再生する記録再生装置に適用して好適なものである。
【０００２】
【従来の技術】
従来、テレビジョン受像機においては、アンテナを介して受信した各チャンネルのテレビジョン放送信号の中からユーザにより指定されたチャンネルのテレビジョン放送信号を選択し、当該選択したテレビジョン放送信号に基づく映像をディスプレイに表示し、音声をスピーカから出力するようになされ、これによりユーザが所望するチャンネルの映像音声を視聴し得るようになされている。
【０００３】
【発明が解決しようとする課題】
ところで、従来のテレビジョン受像機では、上述のようにユーザにより指定されたチャンネルの映像及び音声が一体となって同期して表示又は出力されるため、ユーザが視聴中のテレビジョン放送番組の音声内容が気に入らない場合においても、これを受け入れるしかない問題があった。例えばあるスポーツ番組の放送において、ユーザは実況者や解説者の発言が気に入らない場合においても、そのスポーツ番組を見たいがために当該スポーツ番組を放送する放送局が送信する画像に付随した音声を聞かざるを得ない。
【０００４】
その原因としては、テレビジョン放送において映像と音声が同時に配信されており、現在のテレビジョン受像機ではこれらを分けて扱うことができないことが挙げられる。かかる問題点を解決するための１つの手法として、テレビジョン放送番組の音声をミューティングし、同じ対象（プロ野球の試合など）を放送するラジオ放送番組の音声を聞くといった方法も考えられる。しかしながら、この方法によると、テレビジョン放送番組を録画して視聴するような場合には対応できない問題がある。
【０００５】
また他の原因としては、視聴者の幅広いニーズをカバーしきれていないことが挙げられる。例えば、あるスポーツ放送番組において、あるチームに偏った実況をして欲しい、平等な実況をして欲しい、詳しい解説が聞きたい、解説者が○○なら聞きたくないなど、視聴者にはさまざまなニーズがある。しかしながら、地上波テレビジョン放送だけでは１つの番組に対して最大２チャンネル分の音声しか放送できず、視聴者のニーズをカバーしきれない問題があった。
【０００６】
またこのような問題はテレビジョン放送にのみ限ったものではなく、例えばビデオＣＤ（Ｃｏｍｐａｃｔ  Ｄｉｓｋ）やＤＶＤ（Ｄｉｇｉｔａｌ  Ｖｉｄｅｏ  Ｄｉｓｋ）に記録されたコンテンツを再生し、これを視聴する場合や、インターネットを通じてダウンロードした映像音声ファイルを再生して視聴する場合などにも同様のことが言い得る。
【０００７】
従って、映像情報及び音声情報を含み、これら映像情報に基づく映像と音声情報に基づく音声とが一体化されたコンテンツ（以下、これを映像音声コンテンツと呼ぶ）を視聴する場合に、映像と一体化された音声以外の音声を視聴者の好みに応じて自在に選択して聞くことができれば、当該映像音声コンテンツを視聴する視聴者のさまざまなニーズにも対応でき、かかる映像音声コンテンツの娯楽性をより一層と向上させ得るものと考えられる。
【０００８】
本発明は以上の点を考慮してなされたもので、映像音声コンテンツの娯楽性を向上させ得る記録再生装置及び方法を提案しようとするものである。
【０００９】
【課題を解決するための手段】
かかる課題を解決するため本発明においては、第１のメディアから映像音声コンテンツを取得する第１のコンテンツ取得手段と、第１のメディアと異なる第２のメディアから音声コンテンツを取得する第２のコンテンツ取得手段と、映像音声コンテンツ及び第２のコンテンツ取得手段により取得された音声コンテンツを記録媒体に記録する記録手段と、記録媒体に記録された映像音声コンテンツ又は音声コンテンツを再生する再生手段とを設け、再生手段が、映像音声コンテンツの再生時に、外部操作に応じて、当該映像音声コンテンツの音声に代えて、指定された音声コンテンツを再生するようにした。
【００１０】
この結果この記録再生装置では、映像音声コンテンツの視聴時に、ユーザが当該映像音声コンテンツの音声以外の音声を当該ユーザの好みに応じて自由に選択して聞くことができる。
【００１１】
また本発明においては、第１のメディアから映像音声コンテンツを取得すると共に、第１のメディアと異なる第２のメディアから音声コンテンツを取得し、取得した映像音声コンテンツ及び又は音声コンテンツを記録媒体に記録する第１のステップと、記録媒体に記録された映像音声コンテンツ又は音声コンテンツを再生する第２のステップとを設け、第２のステップでは、映像音声コンテンツの再生時に、外部操作に応じて、当該映像音声コンテンツの音声に代えて、指定された音声コンテンツを再生するようにした。
【００１２】
この結果この記録再生方法によれば、映像音声コンテンツの視聴時に、ユーザが当該映像音声コンテンツの音声以外の音声を当該ユーザの好みに応じて自由に選択して聞くことができる。
【００１３】
【発明の実施の形態】
以下図面について、本発明の一実施の形態を詳述する。
【００１４】
（１）本実施の形態による記録再生装置の全体構成
図１において、１は全体として本実施の形態による記録再生装置を示し、ユーザ操作に応じてリモートコントローラ２から出力される赤外線信号Ｓ１を赤外線受信部３において受信し、当該受信結果に基づき赤外線受信部３から出力されるコマンド受信信号Ｓ２に応じて制御部４が各種制御を行うことにより、ユーザにより指定された映像音声をその内部に設けられたハードディスク装置５に記録再生等することができるようになされている。
【００１５】
すなわちこの記録再生装置１の場合、テレビジョン放送用アンテナ（図示せず）を介して受信したＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎ  Ｓａｔｅｌｌｉｔｅ）放送又は地上波放送等のテレビジョン放送信号Ｓ３をテレビジョン放送受信部７に入力する。
【００１６】
テレビジョン放送受信部７は、制御部４の制御のもとに、入力する各テレビジョン放送信号Ｓ３の中からユーザにより指定されたチャンネルのテレビジョン放送信号Ｓ３を選択する。そしてテレビジョン放送受信部７は、この選択したテレビジョン放送信号Ｓ３に対して復調処理等の所定の信号処理を施し、得られた映像データＤ１ＴＶ、音声データＤ２ＴＶ及びＥＰＧ（Ｅｌｅｃｔｒｏｎｉｃ  Ｐｒｏｇｒａｍ  Ｇｕｉｄｅ）データＤ３Ｅを入力制御部８に送出する。
【００１７】
またネットワークインターフェース部９は、制御部４の制御のもとに、予めＵＲＬ（Ｕｎｉｆｏｒｍ  Ｒｅｓｏｕｒｃｅ  Ｌｏｃａｔｏｒ）が登録されたインターネットラジオ局のサイト、各ラジオ放送のｉＥＰＧ（ｉｎｔｅｒｎｅｔ  ＥＰＧ）データを配信しているインターネット上のサイト又は映像データを配信しているインターネット上のサイトにアクセスし、かくして得られた映像データＤ１ＮＥＴ、音声データＤ２ＮＥＴ及び又はｉＥＰＧデータＤ３ｉを入力制御部８に送出する。
【００１８】
さらに外部入力部１０は、制御部４の制御のもとに、例えばビデオテープレコーダ等の外部映像音声機器から与えられる映像音声信号Ｓ４を入力し、当該映像音声信号Ｓ４に対して必要に応じてアナログ／ディジタル変換処理等の所定の信号処理を施した後、得られた映像データＤ１ＯＵＴ及び音声データＤ２ＯＵＴを入力制御部８に送出する。
【００１９】
さらにＣＤ／ＤＶＤ再生部１１は、制御部４の制御のもとに、装填されたＣＤ又はＤＶＤに記録された映像データＤ１ＣＤ及び又は音声データＤ２ＣＤを再生し、これらを入力制御部８に送出する。
【００２０】
さらにラジオ放送受信部１２は、制御部４の制御のもとに、ラジオ放送用アンテナ（図示せず）を介して受信した各ラジオ放送信号Ｓ５の中から、ユーザにより指定されたチャンネルのラジオ放送信号Ｓ３を選択する。そしてラジオ放送受信部１２は、この選択したラジオ放送信号Ｓ５に対して復調処理やアナログ／ディジタル変換処理等の所定の信号処理を施し、得られた音声データＤ２ＲＥを入力制御部８に送出する。
【００２１】
入力制御部８は、制御部４の制御のもとに、視聴モード時には、これらテレビジョン放送受信部７、ネットワークインターフェース部９、外力入力部１０、ＣＤ／ＤＶＤ再生部１１及びラジオ放送受信部１２から与えられる各映像データＤ１ＴＶ、Ｄ１ＮＥＴ、Ｄ１ＯＵＴ、Ｄ１ＣＤ及び各音声データＤ２ＴＶ、Ｄ２ＮＥＴ、Ｄ２ＯＵＴ、Ｄ２ＣＤ、Ｄ２ＲＥのうち、ユーザにより指定された映像データＤ１ＴＶ、Ｄ１ＮＥＴ、Ｄ１ＯＵＴ、Ｄ１ＣＤ及び又は音声データＤ２ＴＶ、Ｄ２ＮＥＴ、Ｄ２ＯＵＴ、Ｄ２ＣＤ、Ｄ２ＲＥを選択し、このうち選択した映像データＤ１ＴＶ、Ｄ１ＮＥＴ、Ｄ１ＯＵＴ、Ｄ１ＣＤを選択映像データＤ４Ｖとして映像記録再生制御部１３に出力し、選択した音声データＤ２ＴＶ、Ｄ２ＮＥＴ、Ｄ２ＯＵＴ、Ｄ２ＣＤ、Ｄ２ＲＥを選択音声データＤ４Ａとして音声記録再生制御部１４に出力する。
【００２２】
かくしてこの選択映像データＤ４Ｖは、この後映像記録再生制御部１３を介して映像信号処理部１５に与えられ、当該映像信号処理部１５においてフォーマット変換処理やディジタル／アナログ変換処理等の所定の信号処理が施された後、表示用映像信号Ｓ６としてモニタ１６に与えられる。これによりこの表示用映像信号Ｓ６に基づく映像がモニタ１６に表示される。
【００２３】
またかかる選択音声データＤ４Ａは、この後音声記録再生制御部１４を介して音声信号処理部１７に与えられ、当該音声信号処理部１７においてディジタル／アナログ変換処理等の所定の信号処理が施された後、出力用音声信号Ｓ７としてスピーカ１８に与えられる。これによりこの出力用音声信号Ｓ７に基づく音声がスピーカ１８から出力される。
【００２４】
このようにしてこの記録再生装置１では、視聴モード時には、ユーザにより選択されたテレビジョン放送番組の映像音声や、インターネットを介してダウンロードした映像音声、外部映像音声機器から与えられた映像音声、ＣＤ若しくはＤＶＤから再生した映像音声、又はユーザにより選択されたラジオ放送番組の音声をモニタ表示又はスピーカ出力することができるようになされている。
【００２５】
またこのときテレビジョン放送受信部７や、ネットワークインターフェース部９から出力されるＥＰＧデータＤ３Ｅ及びｉＥＰＧデータＤ３ｉは、入力制御部８を介してハードディスク装置５に格納された番組情報データベース２０に番組情報として登録されて保持される。
【００２６】
そして制御部４は、この番組情報（ＥＰＧデータＤ３Ｅ及びｉＥＰＧデータＤ３ｉ）をテレビジョン放送受信部７及びネットワークインターフェース部９から供給されるＥＰＧデータＤ３Ｅ及びｉＥＰＧデータＤ３ｉに基づき順次更新するようになされ、これにより常に最新の番組情報を番組情報データベース２０に保持し得るようになされている。
【００２７】
一方、制御部４は、視聴モード時、上述のようにして映像をモニタ１６に表示させ、音声をスピーカ１８から出力させている状態において、リモートコントローラ２の「録画ボタン」が押圧操作されたことを赤外線受信部３から与えられるコマンド受信信号Ｓ２に基づいて認識すると、動作モードを記録モードに切り替え、これに応じて映像記録再生制御部１３及び音声記録再生制御部１４を制御する。
【００２８】
この結果、映像記録再生制御部１３は、このとき入力制御部８を介して与えられる選択映像データＤ４Ｖを例えばＭＰＥＧ（Ｍｏｔｉｏｎ  Ｐｉｃｔｕｒｅ  Ｅｘｐｅｒｔｓ  Ｇｒｏｕｐ）等の所定の映像圧縮規格に準拠したフォーマットで圧縮符号化し、得られた符号化映像データＤ５Ｖをファイル（映像ファイル）化すると共に固有の識別ＩＤ（以下、これを映像ファイルＩＤと呼ぶ）を付与してハードディスク装置５内の映像データベース２１に格納する。
【００２９】
また音声記録再生制御部１４は、入力制御部８を介して与えられる選択音声データＤ４Ａを例えばＰＣＭ（Ｐｕｌｓｅ  Ｃｏｄｅ  Ｍｏｄｕｌａｔｉｏｎ）等の所定の音声圧縮規格に準拠したフォーマットで圧縮符号化し、得られた符号化音声データＤ５Ａをファイル（音声ファイル）化すると共に固有の識別ＩＤ（以下、これを音声ファイルＩＤと呼ぶ）を付与してハードディスク装置５内の音声データベース２２に格納する。
【００３０】
さらにこのとき制御部４は、番組情報データベース２０に登録された番組情報に基づいて、そのときハードディスク装置５に記録したテレビジョン放送番組やラジオ放送番組等の映像音声コンテンツ又は音声コンテンツ（以下、これらをまとめてタイトルと呼ぶ）について、例えば図２に示すようなそのタイトルに付与された固有の識別ＩＤを表す「タイトルＩＤ」、そのタイトルを取得したメディア（テレビジョン、ラジオ、ＣＤ、ＤＶＤ等）を表す「記録元」、そのタイトルの名前を表す「タイトル名」、そのタイトルの著作者を表す「著作者名」、そのタイトルの記録開始日時を表す「記録開始日時」、そのタイトルの開始から終了までの時間長を表す「タイトル時間長」、そのタイトルの内容を表す「番組情報」等の情報と、映像データベース２１におけるそのタイトルの映像ファイルの映像ファイルＩＤを表す「映像ファイル情報」及び音声データベース２２におけるそのタイトルの音声ファイルの音声ファイルＩＤを表す「音声ファイル情報」とからなるタイトル情報を生成する。
【００３１】
この際、タイトルの「タイトル名」については、当該タイトルがテレビジョン放送番組、ラジオ放送番組又はインターネット放送番組を記録することにより得られたものである場合には、番組情報データベース２０に格納された番組情報に基づき得られるその番組のタイトル名やダウンロードしたときのそのタイトルのファイル名が付与され、それ以外の場合には、「ＣＤ」、「ＤＶＤ」、「外部入力」など、記録再生装置１がそのタイトルを取得したメディアのメディア名が付与される。
【００３２】
またタイトルの「著作者名」については、当該タイトルがテレビジョン放送番組又はラジオ放送番組を記録することにより得られたものである場合には、番組情報データベースに格納された番組情報に基づき得られるその放送を行った放送局名が付与され、インターネット放送番組を記録することにより得られたものである場合には、インターネット上でのそのファイル名が付与され、それ以外の場合には、「ＣＤ」、「ＤＶＤ」、「外部入力」など、記録再生装置１がそのタイトルを取得したメディアのメディア名が付与される。
【００３３】
さらにタイトルの「番組情報」については、当該タイトルがテレビジョン放送番組又はラジオ放送番組を記録することにより得られたものである場合には、番組情報データベース２０に格納された番組情報に基づき得られるその番組に関する解説が記録される。
【００３４】
そして制御部４は、このようにして生成したハードディスク装置５内のタイトル情報データベース２３に格納する。なお、このタイトル情報は、その後対応するタイトルの映像ファイル及び又は及び音声ファイルが映像ファイルデータベース２１及び又は音声データベース２２から削除されたときには、これに応じてタイトル情報データベース２３から削除される。
【００３５】
他方、制御部４は、この後リモートコントローラ２が操作されて、あるタイトルの再生が指示されたことを赤外線受信部３から与えられるコマンド受信信号Ｓ２に基づいて認識すると、動作モードを再生モードに切り替え、タイトル情報データベース２３に格納されたそのタイトルのタイトル情報に基づいて、映像データベースや音声データベースにおけるそのタイトルの映像ファイルＩＤや音声ファイルＩＤを検索する。そして制御部４は、この検索により得られたそのタイトルの映像ファイルＩＤを映像記録再生制御部１３に通知すると共に、音声ファイルＩＤを音声記録再生制御部１４に通知する。
【００３６】
このとき映像記録再生制御部１３は、制御部４から与えられる映像ファイルＩＤに基づいて、映像データベース２１から対応する映像ファイルを読み出し、これを再生処理（復号化処理）して、得られた映像データＤ６Ｖを映像信号処理部１５に送出する。この結果、この再生された映像データＤ６Ｖに基づく映像がモニタ１６に表示される。
【００３７】
また音声記録再生制御部１４は、制御部４から与えられる音声ファイルＩＤに基づいて、音声データベース２２から対応する音声ファイルを読み出し、これを再生処理（復号化処理）して、得られた音声データＤ６Ａを音声信号処理部１７に送出する。この結果、この再生された音声データＤ６Ａに基づく音声がスピーカ１８から出力される。
【００３８】
このようにしてこの記録再生装置１では、ユーザにより指定された映像音声を記録し、再生することができるようになされている。
【００３９】
（２）本実施の形態による自動録音機能及び音声切替え機能
次に、この記録再生装置１に搭載された自動録音機能及び音声切替え機能について説明する。
【００４０】
（２−１）記録再生装置１における自動録音機能
この記録再生装置１には、テレビジョン放送番組の記録時に当該テレビジョン放送番組の内容と関連する内容のラジオ放送番組（例えばテレビジョン放送番組がプロ野球中継である場合において、同じ試合について放送しているラジオ番組）を自動的に録音する自動録音機能が搭載されている。そして、このような音声切替え機能は、制御部４の制御のもとに実現される。
【００４１】
実際上、制御部４は、例えば視聴モード時において、ユーザがリモートコントローラ２の「録画ボタン」を押圧操作したことを赤外線受信部３から与えられるコマンド受信信号Ｓ２に基づいて認識すると、図３に示す関連番組録音処理手順ＲＴ１をステップＳＰ０において開始し、続くステップＳＰ１において、映像記録再生制御部１３及び音声記録再生制御部１４を制御することにより、そのときユーザが視聴していたテレビジョン放送番組の映像音声の記録を開始させる。
【００４２】
続いて制御部４は、ステップＳＰ２に進んで、そのとき番組情報データベース２０に登録されている番組情報に基づき、現在の時刻を基準としてその前後数時間内に、現在記録しているテレビジョン放送番組（以下、これを対象テレビジョン放送番組と呼ぶ）と関連する内容のラジオ放送番組が存在するか否かを判断する。
【００４３】
具体的には、制御部４は、番組情報データベース２２に登録されている対象テレビジョン放送番組の番組情報における当該対象テレビジョン放送番組の「タイトル名」及び「詳細情報」のテキストデータから予め辞書登録されたキーワード（例えば「プロ野球」、「サッカー」、「○○対△△」等）を抽出する。
【００４４】
また制御部４は、これと同様にして、現在の時刻を基準としてその前後数時間内に放送される受信可能な全てのチャンネルの全てのラジオ放送番組について、番組情報データベース２２に格納された番組情報から得られるそのラジオ放送番組の「タイトル名」及び「詳細情報」のテキストデータからキーワードを抽出し、これら抽出したラジオ放送番組のキーワードと、対象テレビジョン放送番組のキーワードとを比較する。
【００４５】
そして制御部４は、対象テレビジョン放送番組のキーワードと同じキーワードを一定の割合以上有するラジオ放送番組が存在しないときには、対象テレビジョン放送番組の内容と関連する内容のラジオ放送番組がないと判断し、この後ステップＳＰ６に進んでこの関連番組録音処理手順ＲＴ１を終了する。従って、この場合には、いずれのラジオ放送番組の音声も記録されない。
【００４６】
これに対して制御部４は、対象テレビジョン放送番組のキーワードと同じキーワードを一定の割合以上有するラジオ放送番組が存在したときには、そのラジオ放送番組の内容が対象テレビジョン放送番組の内容と関連すると判断し、この後ステップＳＰ３に進んで、ラジオ放送受信部１２を制御してそのラジオ放送番組を放送しているラジオ放送局のチャンネルを選局させる。
【００４７】
さらに制御部４は、続くステップＳＰ４において音声記録再生制御部１４を制御することにより、このとき入力制御部８から出力される、かかる対象テレビジョン放送番組の音声データＤ１ＴＶに基づく選択音声データＤ４に加えて、そのラジオ放送番組の音声データＤ１ＲＥに基づく選択音声データＤ４をも記録させる。この際制御部４は、このラジオ放送番組の放送開始時刻が現時点よりも遅い場合には、その放送開始時刻から当該ラジオ放送番組の録音を開始できるようにタイマをセットする。
【００４８】
さらに制御部４は、この後ステップＳＰ５に進んで、番組情報データベース２０に格納されているそのラジオ放送番組の番組情報に基づいて当該ラジオ放送番組の放送終了時刻を検出し、この検出した放送終了時刻に当該ラジオ放送番組の録音を終了させるようにタイマをセットし、その後ステップＳＰ６に進んでこの関連番組録音処理手順ＲＴ１を終了する。
【００４９】
なお、この記録再生装置１の場合、対象テレビジョン放送番組の録画中にも図１について上述したように所望するラジオ放送番組やインターネットラジオ放送番組等の録音をマニュアルで行うことができるようになされており、これにより例えば対象テレビジョン放送番組の内容と関連のある内容のインターネットラジオ放送番組が放送されている場合には、これをユーザがリモートコントローラ２を操作により当該記録再生装置１に録音させ得るようになされている。
【００５０】
一方、制御部４は、上述のようにしてテレビジョン放送番組を録画後、後述する音声切替え機能のために、このテレビジョン放送番組のタイトルと、当該タイトルの内容に関連する内容のタイトルとを関連付ける図４に示すような関連タイトルリスト３０を図５に示す関連タイトルリスト生成処理手順に従って生成する。
【００５１】
実際上、制御部４は、ユーザがリモートコントローラ２を操作して、かかる対象テレビジョン放送番組の録画の停止命令を入力したことを赤外線受信部３からのコマンド受信信号Ｓ２に基づいて認識すると、この関連タイトルリスト生成処理手順ＲＴ２をステップＳＰ１０において開始し、続くステップＳＰ１１において、映像記録再生制御部１３及び音声記録再生制御部１４を制御することにより、当該対象テレビジョン放送番組の映像データＤ１ＴＶに基づく選択映像データＤ４Ｖの記録と、当該対象テレビジョン放送番組の音声データＤ２ＴＶに基づく選択音声データＤ４Ａの記録とを停止（すなわち、当該対象テレビジョン放送番組の録画を停止）させる。
【００５２】
続いて制御部４は、ステップＳＰ１２に進んで、番組情報データベース２０に記録されている番組情報に基づいて、その対象テレビジョン放送番組のタイトル（以下、これをリスト作成対象タイトルと呼ぶ）のタイトル情報を上述のように生成し、これをタイトル情報データベース２３に登録する。
【００５３】
また制御部４は、この後ステップＳＰ１３に進んで、そのリスト作成対象タイトルについて作成した関連タイトルリスト３０の１番目に当該リスト作成対象タイトルを登録する。具体的には、この関連タイトルリスト３０への登録は、図４に示すように、当該関連タイトルリスト３０における「タイトルＩＤ」、「記録元」、「タイトル名」、「著作者名」、「記録開始時刻」、「タイトル時間長」、「番組情報」、「映像ファイル情報」及び「音声ファイル情報」の各欄にそれぞれそのリスト作成対象タイトルのタイトル情報に基づき得られる対応する情報を格納することにより行われる。またこの際、関連タイトルリスト３０におけるリスト作成対象タイトルの記録開始時刻とそのタイトルの記録開始時刻との時間差を表す「差分」の欄には、「０：００：００」が格納される。
【００５４】
そして制御部４は、この後ステップＳＰ１４に進んで、タイトル情報データベース２３にタイトル情報が登録された音声ファイルのみからなる１つのタイトルを選択し、続くステップＳＰ１５において、そのタイトルの内容がリスト作成対象タイトルの内容と関連性があるか否かを判断する。
【００５５】
具体的に制御部４は、判断対象のタイトルが、第１に、その記録開始時刻がリスト作成対象タイトルの記録終了時刻よりも時間的に早く、かつその記録終了時刻がリスト作成対象タイトルの記録開始時刻よりも時間的に遅いこと、第２に、関連番組録音処理手順ＲＴ１（図３）のステップＳＰ２について上述した場合と同様に、リスト作成対象タイトルの「タイトル名」及び「詳細情報」のテキストデータに含まれるキーワードと同じキーワードを当該判断対象のタイトルの「タイトル名」及び「詳細情報」のテキストデータに一定の割合以上含まれることの２つの条件を満たすか否かを判断する。そして制御部４は、その判断対象のタイトルがこれら２つの条件を満たすときにはリスト作成対象タイトルの内容と関連性があると判断する。
【００５６】
そして制御部４は、このステップＳＰ１５において否定結果を得るとステップＳＰ１７に進み、これに対して肯定結果を得るとステップＳＰ１６に進んで、このタイトルをそのとき作成している関連タイトルリスト３０に登録する。この際、制御部４は、このタイトルの記録開始時刻と、当該関連タイトルリスト３０の１番目に登録されたリスト作成対象タイトルの記録開始時刻との差分を計算し、当該計算結果をそのタイトルの「差分」の欄に格納する。
【００５７】
続いて制御部４は、ステップＳＰ１７に進んで、タイトル情報データベース２３にタイトル情報が登録された音声ファイルのみからなる全てのタイトルについて、その内容がリスト作成対象タイトルの内容と関連性があるか否かを判断し終えたか否かを判断する。そして制御部４は、このステップＳＰ１７において否定結果を得るとステップＳＰ１３に戻り、この後ステップＳＰ１７において肯定結果を得るまでステップＳＰ１３〜ステップＳＰ１７−ＳＰ１３のループを繰り返す。
【００５８】
そして制御部４は、やがて対応する全てのタイトルに対するかかる判断を終えることにより、このステップＳＰ１７において肯定結果を得ると、ステップＳＰ１８に進んで、このとき作成した関連タイトルリスト３０をハードディスク装置５内の関連情報データベース２４に登録し、この後ステップＳＰ１９に進んでこの関連タイトルリスト作成処理手順ＲＴ２を終了する。
【００５９】
他方、制御部４は、例えば上述した対象テレビジョン放送番組の録画に伴って関連のあるラジオ放送番組を自動録音した場合のときにように、映像を有しないタイトルを録音した場合には、図６に示すタイトル関連付け処理手順ＲＴ３に従って当該タイトルをいずれかの関連タイトルリスト３０に登録できるか否かを判断し、できる場合には登録する。
【００６０】
実際上、制御部４は、映像を有しないタイトル（以下、これを関連付け対象タイトルと呼ぶ）の記録を終了後、このタイトル関連付け処理手順ＲＴ３をステップＳＰ２０において開始し、続くステップＳＰ２１において、このタイトルのタイトル情報を上述のようにしてタイトル情報データベース２３に登録する。
【００６１】
続いて制御部４は、ステップＳＰ２２に進んで、関連情報データベース２４に登録された関連タイトルリスト３０のうちの１つの関連タイトルリスト３０を選択し、この後ステップＳＰ２３に進んで、当該関連タイトルリスト３０の１番目に登録されたタイトルの内容と、この関連付け対象タイトルの内容とが関連するか否かを関連タイトルリスト作成処理手順ＲＴ２（図５）のステップＳＰ１５において上述した方法と同様の方法により判断する。
【００６２】
そして制御部４は、このステップＳＰ２３において否定結果を得るとステップＳＰ２５に進み、これに対して肯定結果を得るとステップＳＰ２４に進んで、この関連付け対象タイトルを、関連タイトルリスト作成処理手順ＲＴ２（図５）のステップＳＰ１６の場合と同様にしてその関連タイトルリスト３０に登録する。
【００６３】
続いて制御部４は、ステップＳＰ２５に進んで、関連情報データベース２４に登録された全ての関連タイトルリスト３０について同様の処理を行ったか否かを判断し、否定結果を得るとステップＳＰ２２に戻って、この後このステップＳＰ２５において肯定結果を得るまでステップＳＰ２２〜ステップＳＰ２５−ＳＰ２２のループを繰り返す。
【００６４】
そして制御部４は、やがてステップＳＰ２５において肯定結果を得ると、ステップＳＰ２６に進んでこのタイトル関連付け処理手順ＲＴ３を終了する。従って、そのときその関連付け対象タイトルと関連性のタイトルが存在しない場合には、この関連付け対象タイトルは、いずれの関連タイトルリスト３０にも登録されないこととなる。
【００６５】
（２−２）記録再生装置１における音声切替え機能
次にこの記録再生装置１に搭載された音声切替え機能について説明する。
【００６６】
（２−２−１）記録再生装置１における音声切替え機能の概要
この記録再生装置１には、記録されたテレビジョン放送番組の再生時に、当該テレビジョン放送番組の音声に代えて、上述のように自動的に又はマニュアルで録音された関連のあるラジオ放送番組等の音声を当該テレビジョン放送番組の映像に同期させて出力させたり、これ以外のユーザが所望する他の音声を出力させ得る音声切替え機能が搭載されている。
【００６７】
実際上、この記録再生装置１では、再生モード時、映像を有するタイトルの再生中にリモートコントローラ２の「音声切替えボタン」を押圧操作することによって、図７に示すような現在再生中のタイトル（以下、これを再生中タイトルと呼ぶ）の映像に重ねて図８に示すような第１の音声選択画面４０をモニタ１６に表示させ得るようになされている。
【００６８】
ここでこの第１の音声選択画面４０においては、再生中タイトルと予め対応付けられたいくつかのタイトル（以下、これを関連タイトルと呼ぶ）について、その関連タイトルの「放送日」及び「著作者名」等の情報が表記された複数のマーク（以下、これを関連タイトル情報表示マークと呼ぶ）４１Ａ〜４１Ｅと、「その他」の文字が表記されたマーク（以下、これをその他マークと呼ぶ）４２とが上下方向に並べて表示される。
【００６９】
そしてユーザは、この第１の音声選択画面４０がモニタ１６に表示された状態において、リモートコントローラ２の「アップボタン」又は「ダウンボタン」を押圧操作することにより、これら複数の関連タイトル情報表示マーク４１Ａ〜４１Ｅ及びその他マーク４２の中から１つを選択することができる。この際、第１の音声選択画面４０の下側には、そのとき選択されている関連タイトル情報表示マーク４１Ａ〜４１Ｅに対応する関連タイトルの「記録日」、「著作者名」、「タイトル名」及び「詳細情報」等の各種情報が表示される。
【００７０】
またユーザは、第１の音声選択画面４０がモニタ１６に表示された状態において、上述のようにしてユーザが所望する関連タイトル情報表示マーク４１Ａ〜４１Ｅを選択後、リモートコントローラ２の「決定ボタン」を押圧操作することによって、そのとき選択していた関連タイトル情報表示マーク４１Ａ〜４１Ｅに対応する関連タイトルの選択を決定することができる。このときモニタ１６に再生中タイトルの映像が表示されたまま、スピーカ１８（図１）から出力される音声がそのとき決定された関連タイトルの音声に切り替わる。
【００７１】
またユーザは、第１の音声選択画面４０において、その他マーク４２を選択後、リモートコントローラ２の「決定ボタン」を押圧操作することにより、図９に示すような第２の音声選択画面４３を再生中タイトルの映像に重ねてモニタ１６に表示させることができる。
【００７２】
この場合この第２の音声選択画面４０では、音声データベース２２（図１）に音声ファイルが登録された各タイトルのうち、再生中タイトルと関連付けられた関連タイトル以外の全てのタイトル（以下、これを非関連タイトルと呼ぶ）について、その非関連タイトルの「放送日」及び「著作者名」等の情報が表記された複数のマーク（以下、これを非関連タイトル情報表示マークと呼ぶ）４４Ａ〜４４Ｇが上下方向に並べて表示される。
【００７３】
またこの際、非関連タイトルが多数ある場合には、そのうちの予め定められた数の非関連タイトルの非関連タイトル情報表示マーク４４Ａ〜４４Ｇのみが表示され、他の非関連タイトルの非関連タイトル情報表示マーク４４Ａ〜４４Ｇについては、リモートコントローラ２の「アップボタン」又は「ダウンボタン」を押圧操作することにより、スクロールさせるように順次表示させることができる。
【００７４】
かくしてユーザは、第１の音声選択画面４０の場合と同様に、リモートコントローラ２の「アップボタン」又は「ダウンボタン」を操作して所望する非関連タイトル情報表示マーク４４Ａ〜４４Ｇを選択後、リモートコントローラ２の「決定ボタン」を押圧操作することによって、そのとき選択されている非関連タイトル情報表示マーク４４Ａ〜４４Ｇに対応する非関連タイトルの選択を決定することができ、これによりモニタ１６に再生中タイトルの映像を表示させたまま、スピーカ１８から出力される音声をそのとき決定した非関連タイトルの音声に切り替えることができるようになされている。
【００７５】
なお、ユーザは、第１又は第２の音声選択画面４０、４３がモニタ１６に表示された状態において、リモートコントローラ２の「キャンセルボタン」を押圧操作することにより、音声の切り替えをキャンセルして第１又は第することができるようにもなされている。
【００７６】
（２−２）音声切替え機能に関する制御部の処理
ここで、このような記録再生装置１における音声切替え機能は、図１０に示す音声切替え処理手順ＲＴ４に従った制御部４の制御のもとに実現されている。
【００７７】
実際上、制御部４は、映像を有するタイトルの再生時、リモートコントローラ２の「音声切替えボタン」が操作されたことを赤外線受信部３からのコマンド受信信号Ｓ２に基づいて認識すると、この音声切替え処理手順ＲＴ４をステップＳＰ３０において開始し、続くステップＳＰ３１において、関連情報データベース２４（図１）にアクセスして、現在再生している再生中タイトルの関連タイトルリスト３０（図４）を検索する。
【００７８】
そして制御部４は、続くステップＳＰ３２において、ステップＳＰ３１において検出された関連タイトルリスト３０に登録された各タイトルのうち、１番目に登録されているタイトル（再生中タイトルに相当）以外の各タイトルについて、「記録元」、「タイトル名」、「著作者」、「記録開始時刻」及び「詳細情報」等の各データを関連情報データベース２４から読み出し、これを映像信号処理部１５（図１）に送出する。
【００７９】
また制御部４は、これを併せて映像信号処理部１５を制御することにより、上述の第１の音声選択画面４０（図８）のグラフィックデータを生成させる。かくして映像信号処理部１５は、この後このグラフィックデータをディジタル／アナログ変換処理すると共に、これを再生中タイトルの映像信号と重畳して表示用映像信号Ｓ６としてモニタ１６に出力する。この結果、この表示用映像信号Ｓ６に基づいて、図８について上述した第１の音声選択画面４０が再生中タイトルの映像に重ねた状態でモニタ１６に表示される。
【００８０】
続いて制御部４は、ステップＳＰ３３に進み、この後ステップＳＰ３３〜ステップＳＰ３５において、ユーザがリモートコントローラ２を操作することにより、いずれかの関連タイトル情報表示マーク４１Ａ〜４１Ｅが選択されたか否か（すなわち関連タイトルが選択されたか否か）、その他マーク４２が選択されたか否か、及びリモートコントローラ２の「キャンセルボタン」が押圧操作されたか否かを赤外線受信部３から与えられるコマンド受信信号Ｓ２に基づいて順次判断する。
【００８１】
そして制御部４は、これらステップＳＰ３３〜ステップＳＰ３５の各ステップにおいてそれぞれ否定結果を得るとステップＳＰ３３に戻り、この後ステップＳＰ３３〜ステップＳＰ３５のいずれかのステップにおいて肯定結果を得るまで、ステップＳＰ３３〜ステップＳＰ３５−ＳＰ３３のループを繰り返す。
【００８２】
そして制御部４は、やがてユーザがいずれかの関連タイトル情報表示マーク４１Ａ〜４１Ｅを選択（すなわち関連タイトルを選択）することによりステップＳＰ３３において肯定結果を得ると、ステップＳＰ３９に進んで、音声記録再生制御部１４（図１）を制御することにより、再生中タイトルの音声ファイルの再生処理を停止させると共に、ステップＳＰ３３において選択された関連タイトル情報表示マーク４１Ａ〜４１Ｅに対応する音声ファイルを音声データベース２２から読み出させてその再生処理を開始させる。この結果、この関連タイトルの音声が、それまで出力されていた再生中タイトルの音声に代えてスピーカ１８から出力される。
【００８３】
この際制御部４は、再生中タイトルの始点からの経過時間をＴ１、関連タイトルリストにおける選択された関連タイトルの「差分」の欄の値をＴ２として、経過時間Ｔ１が差分Ｔ２よりも小さいときには、再生中タイトルの始点から差分Ｔ２だけ経過した後にかかる関連タイトルの再生を開始させ、経過時間Ｔ１が差分Ｔ２よりも大きいときには、かかる関連タイトルを当該関連タイトルの始点から次式
【００８４】
【数１】
2004336560.tif 000003
【００８５】
で与えられる時間ＴＳだけ経過した箇所から再生を開始させるように音声記録再生制御部１４を制御するようになされ、これにより時間的に映像に同期するように、かかる関連タイトルを再生させ得るようになされている。
【００８６】
これに対して制御部４は、ユーザが第１の音声選択画面４０においてその他マーク４２を選択することによりステップＳＰ３４において肯定結果を得ると、ステップＳＰ３６に進んで、タイトル情報データベース２３に格納された各タイトルのタイトル情報に基づいて、そのとき音声データベース２２に音声ファイルが格納されている全ての非関連タイトルのタイトル情報を読み出し、これを映像信号処理部１５に与える。また制御４部は、これと併せて映像信号処理部１５を制御し、これにより再生中タイトルの映像に重ねて図９について上述した第２の音声選択画面４３をモニタ１６に表示させる。
【００８７】
続いて制御部４は、ステップＳＰ３７に進み、この後ステップＳＰ３７及びステップＳＰ３８において、リモートコントローラ２の「キャンセルボタン」が押圧操作されたか否か、及びいずれかの非関連タイトルが選択されたか否かを赤外線受信部３から与えられるコマンド受信信号Ｓ２に基づいて順次判断する。
【００８８】
そして制御部４は、これらステップＳＰ３７及びステップＳＰ３８の各ステップにおいてそれぞれ否定結果を得るとステップＳＰ３７に戻り、この後ステップＳＰ３７又はステップＳＰ３８において肯定結果を得るまでステップＳＰ３７−ＳＰ３８−ＳＰ３７のループを繰り返す。
【００８９】
そして制御部４は、やがてユーザがリモートコントローラ２を操作していずれかの非関連タイトルを選択することによりステップＳＰ３８において肯定結果を得ると、ステップＳＰ３９に進んで、音声記録再生制御部１４を制御することにより、再生中タイトルの音声ファイルの再生処理を停止させると共に、かかる非関連タイトルの音声ファイルを音声データベース２２から読み出させてその再生処理を開始させる。これによりこの非関連タイトルの音声が、それまで出力されていた再生中タイトルの音声に代えてスピーカ１８から出力される。そして制御部４は、この後ステップＳＰ４０に進んでこの音声切替え処理手順ＲＴ４を終了する。
【００９０】
また制御部４は、第１の音声選択画面４０又は第２の音声選択画面４３がモニタ１６に表示された状態において、ユーザがリモートコントローラ２の「キャンセルボタン」を押圧操作することによりステップＳＰ３５又はステップＳＰ３７において肯定結果を得ると、ステップＳＰ４０に進んでこの音声切替え処理手順ＲＴ４を終了する。
【００９１】
このようにして制御部４は、再生中タイトルの音声に代えて、ユーザにより選択された音声を必要に応じて再生中タイトルの映像に同期させて出力させ得るようになされている。
【００９２】
（３）本実施の形態の動作及び効果
以上の構成において、ユーザは、この記録再生装置１により録画したテレビジョン放送番組の再生視聴時、リモートコントローラ２の「音声切替えボタン」を押圧操作することにより図８に示す第１の音声選択画面４０をモニタ１６に表示させルことができ、この状態でリモートコントローラ２を操作して第１の音声選択画面４０内のその他マーク４２を選択することにより、図９に示す第２の音声選択画面４３をモニタ１６に表示させることができる。
【００９３】
またユーザは、このように第１又は第２の音声選択画面４０、４３をモニタ１６に表示させた状態において、リモートコントローラ２を操作して当該第１又は第２の音声選択画面４０、４３に表示された関連タイトル情報表示マーク４１Ａ〜４１Ｅ、又は非関連タイトル情報表示マーク４４Ａ〜４４Ｇの中から所望する関連タイトル又は非関連タイトルを選択することにより、そのときスピーカ１８から出力されていたテレビジョン放送番組の音声を、そのとき選択した関連タイトル又は非関連タイトルの音声に切り替えさせることができる。
【００９４】
従ってこの記録再生装置１によれば、ユーザが、再生中のテレビジョン放送番組の音声内容が気に入らないときなどに、当該テレビジョン放送番組の音声に代えて、例えばこのテレビジョン放送番組と併せて自動録音又はマニュアルで録音した当該テレビジョン放送番組の内容と関連する内容のラジオ放送番組やインターネットラジオ放送番組を聞いたり、当該テレビジョン放送番組の映像とは全く無関係にそのときの気分に応じて所望する音楽を聴くことができる。
【００９５】
またこの場合において、この記録再生装置１では、出力音声をテレビジョン放送番組の音声から当該テレビジョン放送番組の内容と関連する内容のラジオ放送番組又はインターネットラジオ放送番組の再生音声に切り替える際に、当該ラジオ放送番組又はインターネットラジオ放送番組の再生音声とテレビジョン放送番組の音声とが同期するように、ラジオ放送番組又はインターネットラジオ放送番組の再生タイミングを制御するようにしているため再生映像及び再生音声間のずれが生じず、これを視聴するユーザに再生映像及び再生音声のずれに起因する違和感を感じさせるのを有効かつ未然に防止することができる。
【００９６】
以上の構成によれば、録画したテレビジョン放送番組の映像再生時に音声を所望する音声に自由に切り替え得るようにしたことにより、ユーザのさまざまなニーズに実用上十分に対応することができ、かくしてテレビジョン放送番組の娯楽性を格段的に向上させ得る記録再生装置を実現できる。
【００９７】
（４）他の実施の形態
なお上述の実施の形態においては、記録再生装置１が映像音声コンテンツや音声コンテンツを取得するメディアがテレビジョン放送、インターネット、外部映像音声機器、ＣＤ、ＤＶＤ及びラジオ放送である場合について述べたが、本発明はこれに限らず、これ以外の種々のメディアを広く適用することができる。
【００９８】
この場合において、上述の実施の形態においては、映像音声コンテンツの取得元となる第１のメディアをテレビジョン放送とし、当該第１のメディアから映像音声コンテンツを取得する第１のコンテンツ取得手段をテレビジョン放送受信部７とすると共に、音声コンテンツの取得元となる第２のメディアをインターネット、外部映像音声機器、ＣＤ、ＤＶＤ又はラジオ放送とし、当該第２のメディアから音声コンテンツを取得する第２のコンテンツ取得手段をネットワークインターフェース部９、外部入力部１０、ＣＤ／ＤＶＤ再生部１１又はラジオ放送受信部１２とする場合について述べたが、本発明はこれに限らず、例えば第１のメディアをインターネットや、外部映像音声機器又はＤＶＤとし、第２のメディアをこれ以外のメディアとするようにしても良く、要は、映像音声コンテンツと音声コンテンツとを外部から取得して記録媒体に記録し、映像音声コンテンツの再生時に、外部操作に応じて映像音声コンテンツの音声に代えて、指定された音声コンテンツを再生するようにするのであれば、これら第１及び第２のメディアや第１及び第２のコンテンツ取得手段としては種々のメディア及びコンテンツ取得手段を広く適用することができる。
【００９９】
さらに上述の実施の形態においては、選択映像データＤ４Ｖ及び選択音声データＤ４Ａを記録する記録媒体としてハードディスクを適用するようにした場合について述べたが、本発明はこれに限らず、この他ＤＶＤ等のディスク状記録媒体など、種々の記録媒体を広く適用することができる。
【０１００】
さらに上述の実施の形態においては、選択映像データＤ４Ｖ及び選択音声データＤ４Ａをハードディスク装置５に記録する記録手段及びこれを再生する再生手段としての映像記録再生制御部１３及び音声記録再生制御部１４が、これら選択映像データＤ４Ｖ及び選択音声データＤ４Ａを圧縮符号化してハードディスク装置５に格納するようにした場合について述べたが、本発明はこれに限らず、映像記録再生制御部１３及び音声記録再生制御部１４が選択映像データＤ４Ｖや選択音声データＤ４Ａを圧縮符号化することなくそのままハードディスク装置５に格納するようにしても良い。
【０１０１】
さらに上述の実施の形態においては、第１及び第２の音声選択画面４０、４３をそれぞれ図８又は図９のような画面構成とするようにした場合について述べたが、本発明はこれに限らず、これら第１及び第２の音声選択画面４０、４３の画面構成としてはこの他種々の画面構成を広く適用することができる。
【０１０２】
【発明の効果】
以上のように本発明によれば、記録再生装置において、第１のメディアから映像音声コンテンツを取得する第１のコンテンツ取得手段と、第１のメディアと異なる第２のメディアから音声コンテンツを取得する第２のコンテンツ取得手段と、映像音声コンテンツ及び第２のコンテンツ取得手段により取得された音声コンテンツを記録媒体に記録する記録手段と、記録手段に記録された映像音声コンテンツ又は音声コンテンツを再生する再生手段とを設け、再生手段が、映像音声コンテンツの再生時に、外部操作に応じて、当該映像音声コンテンツの音声に代えて、指定された音声コンテンツを再生するようにしたことにより、映像音声コンテンツの視聴時に、ユーザが当該映像音声コンテンツの音声以外の音声を当該ユーザの好みに応じて自由に選択して聞くことができ、かくして映像音声コンテンツの娯楽性を向上させ得る記録再生装置を実現できる。
【０１０３】
また本発明によれば、記録再生方法において、第１のメディアから映像音声コンテンツを取得すると共に、第１のメディアと異なる第２のメディアから音声コンテンツを取得し、取得した映像音声コンテンツ及び又は音声コンテンツを記録媒体に記録する第１のステップと、記録媒体に記録された映像音声コンテンツ又は音声コンテンツを再生する第２のステップとを設け、第２のステップでは、映像音声コンテンツの再生時に、外部操作に応じて、当該映像音声コンテンツの音声に代えて、指定された音声コンテンツを再生するようにしたことにより、映像音声コンテンツの視聴時に、ユーザが当該映像音声コンテンツの音声以外の音声を当該ユーザの好みに応じて自由に選択して聞くことができ、かくして映像音声コンテンツの娯楽性を向上させ得る記録再生方法を実現できる。
【図面の簡単な説明】
【図１】本実施の形態による記録再生装置の構成を示すブロック図である。
【図２】タイトル情報を概念的に示す概念図である。
【図３】関連番組録音処理手順を示すフローチャートである。
【図４】関連タイトルリストを概念的に示す概念図である。
【図５】関連タイトルリスト作成処理手順を示すフローチャートである。
【図６】タイトル関連付け処理手順を示すフローチャートである。
【図７】モニタの表示画面を示す略線図である。
【図８】第１の音声選択画面の説明に供する略線図である。
【図９】第２の音声選択画面の説明に供する略線図である。
【図１０】音声切替え処理手順を示すフローチャートである。
【符号の説明】
１……記録再生装置、２……リモートコントローラ、４……制御部、５……ハードディスク装置、１３……映像記録再生制御部、１４……音声記録再生制御部、１６……モニタ、１８……スピーカ、２０……番組情報データベース、２１……映像データベース、２２……音声データベース、２３……タイトルデータベース、２４……関連情報データベース、３０……関連タイトルリスト、４０……第１の音声選択画面、４３……第２の音声選択画面、Ｄ１ＴＶ、Ｄ１ＮＥＴ、Ｄ１ＯＵＴ、Ｄ１ＣＤ……映像データ、Ｄ２ＴＶ、Ｄ２ＮＥＴ、Ｄ２ＯＵＴ、Ｄ２ＣＤ、Ｄ２ＲＥ……音声データ、Ｄ３Ｅ……ＥＰＧデータ、Ｄ３ｉ……ｉＥＰＧデータ、Ｄ４Ｖ……選択映像データ、Ｄ４Ａ……選択音声データ、ＲＴ１……関連番組録音処理手順、ＲＴ２……関連タイトルリスト作成処理手順、ＲＴ３……タイトル関連付け処理手順、ＲＴ４……音声切替え処理手順。
【図１】
2004336560.tif 000004
【図２】
2004336560.tif 000005
【図３】
2004336560.tif 000006
【図４】
2004336560.tif 000007
【図５】
2004336560.tif 000008
【図６】
2004336560.tif 000009
【図７】
2004336560.tif 000010
【図８】
2004336560.tif 000011
【図９】
2004336560.tif 000012
【図１０】
2004336560.tif 000013